(57)【特許請求の範囲】
【請求項１】
シリンダ錠を固定筒の内周に係着し、扉内に設けた錠箱に、扉面に穿設した錠挿入穴を介して該固定筒の基端を固定し、前記扉面から突出した前記固定筒の外周に、先端側を開口した略円錐状の化粧リングを、後端面が前記扉面に当接して前記錠挿入穴を覆い、先端部が前記固定筒の先端側となるように取り付けた錠構造において、
前記固定筒の外周に形成した雄ねじと前記化粧リングの内周に形成した雌ねじとを螺合して前記固定筒の外周に前記化粧リングを螺着し、
前記固定筒の外周と前記化粧リングの内周との間には、前記化粧リングの固定筒先端へ移動する側の回転を規制する逆回転規制手段が設けられ、
該逆回転規制手段は、
前記固定筒外周の雄ねじを切り欠いて、固定筒の外周に軸線方向に略真直に設けた収容溝と、
該収容溝に位置する角柱状の規制部材と、
前記収容溝と前記規制部材との間に介在して、該規制部材を前記収容溝から突出させる方向に付勢する付勢手段と、
前記化粧リング内周の雌ねじを切り欠いて軸線方向に設けられ、前記収容溝から突出した状態の前記規制部材の一部分を収容する係合溝と、
で構成されており、
前記係合溝は、前記化粧リングが固定筒基端へ移動する側の回転方向側が傾斜面とされ、前記化粧リングの固定筒先端へ移動する側の回転方向側が垂直面とされていることを特徴とする錠構造。
【請求項２】
前記化粧リングを、リング本体と、該リング本体の表面を覆って被着した可動リングとで構成し、
前記可動リングが、一定の回転モーメント以下では前記リング本体に対する回転が摩擦力によって規制される一方、該摩擦力を超える回転モーメントでは前記リング本体に対して回転することを特徴とする請求項１記載の錠構造。
【請求項３】
前記リング本体が、断面内に中空部を有しない中実の略円錐状筒体であることを特徴とする請求項２記載の錠構造。
【発明の詳細な説明】
【０００１】
【発明の属する技術分野】
本発明は、扉面から突出したシリンダ錠の外周に、化粧リングを取り付けて成る錠構造に関する。
【０００２】
【従来の技術】
シリンダ錠は、外筒の内側に、キー挿入孔を有した内筒を備え、キー挿入方向に配設した複数のピンを、キー溝の深さに合わせて内外筒の直径方向所定位置に移動することで、挿入キーと共に内筒を回転可能にし、扉内に設けた錠箱内施錠機構へ施解錠操作力を入力し、扉の木口からデッドボルトを進退させて扉の施解錠を可能にしている。
【０００３】
このシリンダ錠１は、図７に示すように、固定筒３の内部に、スペーサ５を介して収容される。固定筒３の内壁には軸線方向の溝７を設けてあり、溝７はシリンダ錠１の外周に軸線方向で突設した突起９と嵌合してシリンダ錠１の回動を規制している。また、固定筒３の後部内周には周溝１１を設けてあり、この周溝１１には止めリング１３を嵌入している。止めリング１３は、リング状のライナー１５を介してシリンダ錠１の後端面を押さえ、シリンダ錠１の後方（図７の右方）への移動を阻止している。
【０００４】
固定筒３は、扉面１７ａに穿設した錠挿入穴１９に後部を挿入し、扉１７内に設けた図示しない錠箱に基端を固定する。扉面１７ａから突出した固定筒３の外周には、先端側を切除した円錐状の化粧リング２１を、先端部がシリンダ錠１の先端側となるように外挿している。固定筒３の外周にはコイルバネ２３を外挿支持してあり、コイルバネ２３は付勢力によって化粧リング２１を付勢し、その後端部を扉面１７ａに当接させている。
【０００５】
このような化粧リング２１の付勢構造を採用することで、シリンダ錠１の扉面１７ａからの突出長さが異なる場合であっても、常に化粧リング２１の後端面を扉面１７ａに当接して錠挿入穴１９を覆うことができ、厚みの異なる扉１７に対する同一シリンダ錠１の取り付けを可能にしていた。
【０００６】
また、図示はしないが、化粧リングの内周面に雌ねじを形成し、固定筒の外周面に雄ねじを形成して、固定筒に対して化粧リングを外挿し螺着することで扉面の錠挿入穴を覆うことを可能とする構造もあり、上記コイルバネ２３の構成と同様に、厚みの異なる扉に対して、螺着長さを変えることで、上記同様に同一シリンダ錠の取り付けを可能にしていた。
【０００７】
【発明が解決しようとする課題】
しかしながら、従来の錠構造は、厚みの異なる扉に対して同一シリンダ錠を取り付け可能にすることから、固定筒の外周に化粧リングを外挿し、固定筒に外挿支持したコイルバネの付勢力、或いは化粧リングのねじ込む長さによって化粧リングの後端部を扉面に当接させている。このため、化粧リングを回転させるなどして取り外し、表出したシリンダ錠に大きな外力を加えることで、シリンダ錠をもぎ取る暴力的な不正解錠も想定できる。また、コイルバネが収縮する距離だけ化粧リングを扉表面から浮き上がらせることが可能となり、それによって化粧リングをこじあける破壊も想定できる。
【０００８】
さらに、化粧リングは、板金加工により製作した円錐状の筒体であることから、断面内に中空部２１ａ（図７参照）を有し、固定筒に外挿した場合、固定筒との間に空洞を形成する。このため、化粧リングを潰して変形させれば、工具を用いて挟み持つことが可能となり、この状態で化粧リングと共に、固定筒及びシリンダ錠を無理やり回転し、錠装置を破壊することも想定できる。
【０００９】
本発明は上記状況に鑑みてなされたもので、その第一の目的は、化粧リングを回転させながら取り外す破壊を阻止できる錠構造を提供することにある。
また、その第二の目的は、化粧リングを浮き上がらせることによるこじあけを防止できる錠構造を提供することにある。
さらに、その第三の目的は、化粧リングを潰して変形させ、変形させた化粧リングを掴み、シリンダ錠を無理やり回転することによる錠装置の破壊を防止できる錠構造を提供することにある。
【００１０】
【課題を解決するための手段】
次に、上記の課題を解決するための手段を、実施の形態に対応する図面を参照して説明する。
この発明の請求項１記載の錠構造は、シリンダ錠３１を固定筒４３の内周に係着し、扉内に設けた錠箱に、扉面に穿設した錠挿入穴を介して該固定筒４３の基端を固定し、前記扉面から突出した前記固定筒４３の外周に、先端側を開口した略円錐状の化粧リング６７を、後端面が前記扉面に当接して前記錠挿入穴を覆い、先端部が前記固定筒４３の先端側となるように取り付けた錠構造において、
前記固定筒４３の外周に形成した雄ねじ７１と前記化粧リング６７の内周に形成した雌ねじ６９とを螺合して前記固定筒４３の外周に前記化粧リング６７を螺着し、
前記固定筒４３の外周と前記化粧リング６７の内周との間には、前記化粧リング６７の固定筒先端へ移動する側の回転を規制する逆回転規制手段７７が設けられ、
該逆回転規制手段７７は、
前記固定筒外周の雄ねじ７１を切り欠いて、固定筒４３の外周に軸線方向に略真直に設けた収容溝７９と、
該収容溝７９に位置する角柱状の規制部材８１と、
前記収容溝７９と前記規制部材８１との間に介在して、該規制部材８１を前記収容溝７９から突出させる方向に付勢する付勢手段８３と、
前記収容溝７９から突出した状態の前記規制部材８１の一部分を収容する係合溝８５と、
で構成されており、
前記係合溝８５は、前記化粧リング６７が固定筒基端へ移動する側の回転方向側が傾斜面８７とされ、前記化粧リング６７の固定筒先端へ移動する側の回転方向側が垂直面８９とされていることを特徴とする。
【００１１】
この錠構造では、扉表面に後端が当接する位置までねじ込んだ化粧リング６７は、それ以上のねじ込みが扉表面によって阻止されると共に、逆方向の回転が逆回転規制手段７７によって規制され、すなわち規制部材８１が係合溝８５の垂直面８９に当接し、回転不能となって固定筒４３に固定される。これにより、化粧リング６７の固定構造の剛性が高まり、化粧リング６７を回転させて取り外す錠機構の破壊を防止できる。また、化粧リング６７の後端を扉表面に当接するので、扉面からの化粧リング６７の浮き上がりが無く、化粧リング６７を浮き上がらせることによるこじあけ、すなわち鍵挿入穴を覆うことから行い難くできる。
【００１２】
請求項２記載の錠構造は、前記化粧リング６７を、リング本体７３と、該リング本体７３の表面を覆って被着した可動リング７５とで構成し、
前記可動リング７５が、一定の回転モーメント以下では前記リング本体７３に対する回転が摩擦力によって規制される一方、該摩擦力を超える回転モーメントでは前記リング本体７３に対して回転することを特徴とする。
【００１３】
この錠構造では、リング本体７３が逆回転規制手段と扉表面とによって回転ロックされた状態においても、化粧リング６７を無理やり回そうとすれば可動リング７５のみがリング本体７３に対して空転することになる。これにより、化粧リング６７の固定部に破壊力が加わり難くなると共に、外部から化粧リング６７を挟持してシリンダ錠３１を回すことは不可能になり、シリンダ錠３１を無理やり回すことによる錠機構の破壊が防止できる。
【００１４】
請求項３記載の錠構造は、前記リング本体７３が、断面内に中空部を有しない中実の略円錐状筒体であることを特徴とする。
【００１５】
この錠構造では、リング本体７３を潰して変形することが困難になり、リング本体７３と可動リング７５とからなる化粧リング６７が円錐形状のままを維持する。これにより、化粧リング６７が掴み難くなって、変形させた化粧リング６７を掴み、シリンダ錠３１を無理やり回転することによる錠装置の破壊を防止することができる。
【００１６】
【発明の実施の形態】
以下、本発明に係る錠構造の好適な実施の形態を図面を参照して詳細に説明する。
図１は本発明に係る錠構造の分解斜視図、図２は図１に示した錠構造の縦断面図、図３は図１に示した錠構造の水平断面図、図４は図３のＡ−Ａ矢視図、図５は図４の化粧リングを９０度回転させた状態の図３のＡ−Ａ矢視図、図６は図１に示した錠構造に用いる鍵の平面図である。なお、図２，図３は、軸線を境に上部と下部で、異なる厚みの扉にシリンダ錠を取り付けた場合の化粧リングの位置を表している。
【００１７】
シリンダ錠３１は、外筒３３の内側に、図示しないキー挿入孔を有した内筒３５を備える。シリンダ錠３１は、本実施の形態では、外筒３３と内筒３５との間に亘って複数の図示しないピンをキー挿入方向に配設している。図６に示すキー３７は、複数の凹部３９を有し、キー挿入孔に挿入されることで、凹部３９によってピンを内外筒直径方向の所定位置に移動し、シアーライン（図示せず）を外筒３３と内筒３５との境界に一致させることで、ピンによる外筒３３と内筒３５との回転規制を解除する。
【００１８】
また、キー３７は、本実施の形態では、挿入方向に複数の磁石片４１を備えている。磁石片４１は、シリンダ錠３１内に設けた複数の図示しない磁気可動子を磁力によって、内外筒直径方向に移動し、外筒３３と内筒３５との回転規制を解除する。従って、キー３７をキー挿入孔に挿入することで、ピン及び磁気可動子による規制が解除されて、内筒３５は、キー３７と共に、外筒３３に対して回転可能となる。これにより、扉内に設けた図示しない錠箱内の施錠機構へ施解錠操作力を入力し、扉の木口から図示しないデッドボルトを進退させて施解錠を可能にしている。
【００１９】
このシリンダ錠３１は、固定筒４３の内周に係着している。固定筒４３の内壁には軸線方向の溝４３ａを設けてあり、溝４３ａはシリンダ錠３１の外周に軸線方向で突設した突起３１ａと嵌合してシリンダ錠３１の回動を規制している。固定筒４３の後部内周には周溝４７を設けてあり、この周溝４７には止めリング４９を嵌入する。止めリング４９は、リング状のライナー５１を介してシリンダ錠３１の後端面を押さえ、シリンダ錠３１の後方（図２の左方）への移動を阻止している。
【００２０】
固定筒４３は、前部に、直径方向外側から穿設した一対の嵌入孔５３，５３を有する。この嵌入孔５３，５３には超硬チップ５５を嵌着してあり、超硬チップ５５は固定筒４３の先端側から軸線方向へのドリル状工具などによる破壊防止のため補強している。固定筒４３の先端には超硬チップ５５とともに覆うようにして飾り筒５７を外挿し、飾り筒５７は中央部の穴から内筒３５のキー挿入孔を表出させる。固定筒４３は、先端外周に固定溝５９を有している。飾り筒５７は、半径方向内側に突出させた切出片６１を、固定溝５９に係合することで、固定筒４３の先端から脱落不能となって、この固定筒４３に対し回転自在となる。
【００２１】
固定筒４３は、後端部に、軸線に直交方向の一対の凸部６４を外周の上下に有し、これら凸部６４に固定穴６５が形成されている。固定筒４３は、扉面に穿設した図示しない錠挿入穴に後部を挿入し、扉内に設けた図示しない錠箱にこの固定穴６５を介して固定する。これにより、シリンダ錠３１は、固定筒４３を介して錠箱に回動不能に固定されることになる。
【００２２】
扉面から突出する固定筒４３の外周には、先端側を切除した略円錐状の化粧リング６７を、先端部がシリンダ錠３１の先端側となるように取り付けている。化粧リング６７は、内周に雌ねじ６９を有している。また、固定筒４３は、外周に雄ねじ７１を有している。化粧リング６７は、固定筒４３の雄ねじ７１に、雌ねじ６９を螺合して、固定筒４３の外周に螺着している。このような螺合構造とすることで、シリンダ錠３１の扉面からの突出長さが異なる場合であっても、化粧リング６７を回動させて常に後端面を扉面に当接させることができ、厚みの異なる扉に対する同一シリンダ錠３１の取り付けを可能にしている。
【００２３】
化粧リング６７は、上記の雌ねじ６９を有したリング本体７３と、このリング本体７３の表面を覆って被着する可動リング７５とによる二重構造から成る。可動リング７５は、図２に示すように、小径側の先端を、化粧リング６７の内周側へ折り曲げたかしめ構造によってリング本体７３に被着している。この可動リング７５は、一定の回転モーメント以下ではリング本体７３に対する回転が摩擦力によって規制される。一方、可動リング７５は、この摩擦力を超える回転モーメントでは、リング本体７３に対して滑り、相対回転するようになっている。
【００２４】
つまり、可動リング７５は、化粧リング６７をねじ込む際などは、リング本体７３との摩擦で連れまわり、ねじ込み等の回転が可能となるが、リング本体７３の回転が停止した状態（係合状態や扉面に当接した状態）では、空転するようになっている。
【００２５】
リング本体７３は、断面内に中空部を有しない中実の略円錐状筒体から成る。リング本体７３は、例えば、ステンレス、鋳鉄等の金属を切削加工して製作することができる。
【００２６】
固定筒４３の外周と、化粧リング６７の内周との間には、化粧リング６７の固定筒先端へ移動する側の回転を規制する図３に示す逆回転規制手段７７を設けている。逆回転規制手段７７は、固定筒外周の雄ねじ７１を切り欠いて、固定筒４３の外周に軸線方向に略真直に設けた収容溝７９と、この収容溝７９に位置する角柱状の規制部材としてのクリップピース８１と、収容溝７９とクリップピース８１との間に介在してクリップピース８１を収容溝７９から突出させる方向に付勢する付勢手段としての板バネ８３と、図４に示すように収容溝７９から突出した状態のクリップピース８１の一部分を収容する一対の係合溝８５，８５とからなる。
【００２７】
一対の係合溝８５，８５は、リング本体７３の内周の円周方向に１８０度の間隔で、雌ねじ６９を切り欠いて軸線方向に設けている。この係合溝８５は、図４に示すように、リング本体７３の一方の回転方向側、すなわち化粧リング６７が固定筒基端へ移動する側の回転方向側である正転方向側が、傾斜面８７となり、他方の回転方向側、すなわち化粧リング６７の固定筒先端へ移動する側の回転方向側である逆転方向側が、垂直面８９となっている。傾斜面８７は、化粧リング６７が固定筒基端へ移動する側の回転方向のとき、クリップピース８１を収容溝７９内へ押圧して、この方向の回転を規制することはない。収容溝７９に押し込められたクリップピース８１は、図５に示すように化粧リング６７の回転に伴ってリング本体７３の内周を摺動する。一方、垂直面８９は、化粧リング６７の固定筒先端へ移動する側の回転方向のとき、クリップピース８１に当接し、リング本体７３のこの方向（図４中の矢印ａ方向）での回転を規制する。
【００２８】
また、逆回転規制手段７７は、化粧リング６７が固定筒基端へ移動する側の方向（図４中の矢印ｂ方向）で回転すると、１８０度ごとにクリップピース８１が垂直面８９側から収容溝７９に衝接することとなり、クリック感が生じるようになっている。これにより、化粧リング６７の回転回数等が容易に認識できるようになっている。
【００２９】
次に、このような構成を有する錠構造の扉への組み付け手順を説明する。
この錠構造では、先ず、リング本体７３に可動リング７５をかしめ加工等により固定して化粧リング６７を組立て、この化粧リング６７を固定筒４３の雄ねじ７１に螺合する。また、固定筒４３の先端部に、超硬チップ５５を圧入し、飾り筒５７をかしめ加工等により固定する。
【００３０】
次いで、固定筒４３にシリンダ錠３１を後部から挿入した後、その後方にライナー５１を挿入する。ライナー５１を挿入した後、固定筒４３の周溝４７に、さらに止めリング４９を嵌入し、ライナー５１を介してシリンダ錠３１の後端面を押さえ、シリンダ錠３１の後方への移動を阻止して、シリンダ錠３１と固定筒４３とを一体に組み立てる。
【００３１】
次いで、化粧リング６７を取り付けた固定筒４３の後部を、扉面に穿設した図示しない錠挿入穴に挿入し、扉内に設けた図示しない錠箱に、固定筒４３の基端を扉の木口から固定する。そして、化粧リング６７を、固定筒基端へ移動する側（正回転方向）へ回転させ、後端面を扉面に当接させ、扉への組み付けが完了する。
【００３２】
なお、化粧リング６７は、固定筒４３を錠箱から取り外し、後部からクリップピース８１を収容溝７９内へ押し込みながらであれば、固定筒先端へ移動する側への回転が可能となって、固定筒４３からの取り外しが可能となる。
また、化粧リング６７の後端面が扉面に当接した位置にて、図４に示すように、係合溝８５内の垂直面８９にクリップピース８１が当接状態であれば、化粧リング６７の固定筒先端へ移動する側の回転（逆回転）を規制する。
【００３３】
上記した錠構造によれば、扉表面に後端が当接する位置までねじ込んだ化粧リング６７は、それ以上のねじ込みが扉表面によって阻止される。また、逆方向の回転が逆回転規制手段７７によって規制され回転不能となる。これにより、化粧リング６７の固定構造の剛性が高まり、化粧リング６７を回転させて取り外す錠機構の破壊を防止できる。また、逆回転規制手段７７により、化粧リング６７の後端の扉表面からの浮き上がりが無くなり、化粧リング６７を浮き上がらせるこじあけを行い難くできる。
【００３４】
また、化粧リング６７が逆回転規制手段７７と扉面とによって回転ロックされた状態において、化粧リング６７を無理やり回そうとすれば可動リング７５のみがリング本体７３に対して空転することになる。これにより、化粧リング６７の固定部に破壊力が加わり難くなると共に、外部から化粧リング６７を挟持してシリンダ錠３１とともに回すことは不可能になり、シリンダ錠３１を無理やり回すことによる錠機構の破壊が防止できる。
【００３５】
さらに、リング本体７３が中空部のない中実構造であることから、このリング本体７３を潰して変形することが困難になり、リング本体７３と可動リング７５とからなる化粧リング６７が円錐形状のままを維持する。これにより、化粧リング６７が掴み難くなって、変形させた化粧リング６７を掴み、シリンダ錠３１を無理やり回転することによる錠装置の破壊を防止することができる。
【００３６】
【発明の効果】
以上説明したように、本発明に係る錠構造によれば、固定筒の外周に化粧リングを螺着し、固定筒の外周と化粧リングの内周との間に、化粧リングの固定筒先端へ移動する側の回転を規制する逆回転規制手段を設けたので、後端が扉表面に当接する位置までねじ込んだ化粧リングは、それ以上のねじ込みが扉表面によって阻止されると共に、逆方向の回転が逆回転規制手段の垂直面に規制部材が当接することで規制され、回転不能となって固定筒に固定されることになる。これにより、化粧リングの固定構造の剛性を高め、化粧リングを回転させて取り外す錠機構の破壊を防止できる。また、逆回転規制手段により化粧リングの後端を扉面よりの浮き上がりを無くすことができ、鍵挿入穴を覆い、化粧リングを浮き上がらせることによるこじあけを行い難くでき、化粧リングをこじりあけ、表出したシリンダ錠に大きな外力を加えることによる錠装置の破壊を阻止することができる。この結果、錠構造の防犯性を高めることができる。
【００３７】
また、本発明に係る錠構造によれば、化粧リングを、リング本体と、このリング本体の表面を覆って被着する可動リングとで構成し、可動リングが一定の回転モーメント以上でリング本体に対して回転するようにしたので、リング本体が逆回転規制手段によって回転がロックされた状態においても、化粧リングを無理やり回そうとすれば可動リングのみがリング本体に対して空転することになる。これにより、外部から化粧リングを挟持してシリンダ錠を回すことは不可能になり、シリンダ錠を無理やり回すことによる錠機構の破壊を防止して錠構造の防犯性を高めることができる。
【００３８】
さらに、本発明に係る錠構造によれば、リング本体を、中空部のない中実の略円錐状筒体で形成しているので、リング本体を潰して変形することが困難になり、その結果、リング本体と可動リングとからなる化粧リングが円錐形状のままを維持する。これにより、化粧リングが掴み難くなって、変形させた化粧リングを掴み、シリンダ錠を無理やり回転することによる錠装置の破壊を防止することができる。
【図面の簡単な説明】
【図１】本発明に係る錠構造の分解斜視図である。
【図２】図１に示した錠構造の縦断面図である。
【図３】図１に示した錠構造の水平断面図である。
【図４】図３のＡ−Ａ矢視図である。
【図５】図４の化粧リングを９０度回転させた状態の図３のＡ−Ａ矢視図である。
【図６】図１に示した錠構造に用いる鍵の平面図である。
【図７】従来の錠構造の断面図である。
【符号の説明】
３１…シリンダ錠
４３…固定筒
６７…化粧リング
６９…雌ねじ
７１…雄ねじ
７３…リング本体
７５…可動リング
７７…逆回転規制手段
【図１】
0004080193.tif 000002
【図２】
0004080193.tif 000003
【図３】
0004080193.tif 000004
【図４】
0004080193.tif 000005
【図５】
0004080193.tif 000006
【図６】
0004080193.tif 000007
【図７】
0004080193.tif 000008